(57)【要約】【課題】液体現像剤の滞留が発生しても、液体現像剤のオーバーフローおよび液体現像剤の濃度調整不能を防止する。【解決手段】回収液排出管３１を流れて濃度調整タンク２７内に回収される回収液の滞留が検出されないときは、濃度調整タンク２７内の液体現像剤Ｔのトナー濃度が濃度センサー３９で測定されたトナー濃度に基づいて予め定められた第１のトナー濃度に調整され、液量センサー４０で測定された濃度調整タンク２７内の液体現像剤Ｔの液量が、液量下限値と滞留なし時に対応して予め定められた第１の液量の範囲に制御される。また、液体現像剤の滞留が検出されたときは、濃度調整タンク２７内の液体現像剤Ｔの液量が第１の液量の範囲より狭い予め定められた第２の液量の範囲に制御される。【選択図】図２
2012113022.tif 000002
【特許請求の範囲】
【請求項１】
潜像が形成される潜像担持体と、
トナー及びキャリアー液を含む液体現像剤を貯留する液体現像剤貯留部、前記液体現像剤貯留部の液体現像剤を担持するとともに担持した液体現像剤で前記潜像担持体の前記潜像を現像する現像剤担持体、及び前記潜像担持体の前記潜像を現像した前記現像剤担持体をクリーニングする現像剤担持体クリーニング部材を有する現像部と、
貯留した液体現像剤のトナー濃度を測定する濃度測定部、及び貯留した液体現像剤の液量を測定する液量測定部を有し、前記液体現像剤貯留部に供給する液体現像剤のトナー濃度を第１のトナー濃度に液体現像剤濃度調整部と、
前記液体現像剤濃度調整部に貯留された液体現像剤を前記液体現像剤貯留部に供給する液体現像剤供給経路と、
前記第１のトナー濃度よりも高い第２のトナー濃度の液体現像剤を前記液体現像剤濃度調整部に供給するトナー供給部と、
前記キャリアー液を前記液体現像剤濃度調整部に供給するキャリアー液供給部と、
前記現像剤担持体クリーニング部材でクリーニングされて回収された液体現像剤を貯留する回収液貯留部と、
前記濃度測定部で測定された液体現像剤のトナー濃度および前記液量測定部で測定された液体現像剤の液量に基づいて前記トナー供給部から供給される液体現像剤の供給量及び前記キャリアー液供給部から供給されるキャリアー液の供給量を制御して前記液体現像剤濃度調整部の液体現像剤のトナー濃度を調整するとともに、前記液体現像剤濃度調整部に貯留された液体現像剤の液量を予め定められた第１の液量の範囲に制御する制御部と、
前記回収液貯留部に貯留された液体現像剤が前記液体現像剤濃度調整部に移動させる回収経路と、
前記回収経路に移動する液体現像剤の滞留を検出する回収液滞留検出部と、を備え、
前記制御部は、前記回収液滞留検出部が前記回収経路での液体現像剤の滞留を検出したときは、前記液体現像剤濃度調整部に貯留される液体現像剤の液量を前記第１の液量の範囲よりも狭い第２の液量の範囲で制御することを特徴とする画像形成装置。
【請求項２】
前記液量測定部は、前記液体現像剤濃度調整部に貯留された液体現像剤の液位を測定する液位測定部材であり、
前記制御部は、前記液体現像剤濃度調整部に貯留された液体現像剤の液位を予め定められた上限値及び下限値の範囲で制御する請求項１に記載の画像形成装置。
【請求項３】
前記液体現像剤濃度調整部に貯留される液体現像剤の液量を前記第２の液量の範囲で制御する時、前記上限値を下げる請求項２に記載の画像形成装置。
【請求項４】
前記液体現像剤濃度調整部に貯留される液体現像剤の液量を前記第２の液量の範囲で制禦する時、前記第２の液量の範囲は、前記回収液滞留検出部で検出される液体現像剤の滞留量に基づいて調整される請求項１ないし３のいずれか１項に記載の画像形成装置。
【請求項５】
液体現像剤濃度調整部に貯留されたトナー及びキャリアー液を含む液体現像剤を第１のトナー濃度に調整し、
前記第１のトナー濃度に調整された液体現像剤を現像剤担持体に担持させて潜像を現像し、
潜像を現像した現像剤担持体をクリーニングして液体現像剤を回収し、
回収された液体現像剤を前記液体現像剤濃度調整部へ移動させるとともに移動する液体現像剤が滞留しているか否かを検出し、
滞留が検出されないときには、前記液体現像剤濃度調整部に貯留された液体現像剤を前記第１のトナー濃度に調整するとともに予め定められた第１の液量の範囲に制御し、
滞留が検出されたときには、前記液体現像剤濃度調整部に貯留された液体現像剤を前記第１のトナー濃度に調整するとともに予め定められた第１の液量の範囲よりも狭い第２の液量の範囲に液体現像剤の液量を制御することを特徴とする画像形成方法。
【発明の詳細な説明】
【技術分野】
【０００１】
本発明は、トナーとキャリアー液とを含む液体現像剤を用いて、潜像担持体である感光体に形成された潜像を現像して画像を形成する電子写真方式の画像形成装置および画像形成方法に関する。
【背景技術】
【０００２】
従来、トナーとキャリアー液とを含む液体現像剤を用いて、潜像担持体である感光体に形成された潜像を現像して画像を形成する画像形成装置が多々知られている。この種の画像形成装置として、現像等に使用されなく回収された液体現像剤を再利用する画像形成装置が提案されている（例えば、特許文献１参照）。この特許文献１に記載の画像形成装置では、濃度調整タンクから液体現像剤が現像部の液体現像剤貯留部へ送給されるとともに、液体現像剤貯留部からあふれた液体現像剤および現像後に残留する液体現像剤、つまり現像等に使用されなかった液体現像剤とが濃度調整タンクに回収液として戻され、この回収液は液体現像剤として再利用される。その場合、画質を安定させるとともに連続印字を可能にするために、濃度調整タンク内の液体現像剤は濃度調整されるとともに液量制御される。
【０００３】
また、濃度調整タンク内の液体現像剤の濃度調整および液量制御のために、濃度調整タンク内に濃度センサーおよび液量センサーが配設された画像形成装置も知られている（例えば、特許文献２参照）。この特許文献２に記載の画像形成装置では、濃度センサーおよび液量センサーの各出力に応じてトナーおよびキャリアー液の濃度調整タンク内への各供給量が制御される。
【先行技術文献】
【特許文献】
【０００４】
【特許文献１】特開２００９−０７５５５２号公報。
【特許文献２】特開２００９−０７５５５８号公報。
【発明の概要】
【発明が解決しようとする課題】
【０００５】
しかしながら、特許文献１および２に記載の画像形成装置では、液体現像剤が高粘度であるため、連続印字動作を行う際、現像部から濃度調整タンクへ流れる回収液の回収経路である回収液排出配管内で回収液が連続的に滑らかに流れず、一時的に回収液の滞留が発生することがある。特に、画線率の小さな印字データの連続印字を行った場合、回収液の濃度が濃くなるため滞留が発生し易い。
【０００６】
このように滞留が発生して回収液が濃度調整タンクへ連続的に流れないと、濃度調整タンク内の液体現像剤の濃度や液量が大きく変化する。そこで、濃度調整タンク内で前述の濃度調整および液量制御が行われ、新たなトナーやキャリアー液が濃度調整タンク内に供給される。この状態で、回収液排出配管内に滞留した回収液の液量が多くなると、滞留した回収液はその自重で落下して濃度調整タンク内に流入する。これにより、回収液の滞留が解消する。しかし、滞留していた分の回収液が短時間で濃度調整タンク内に流れ込むため、濃度調整タンク内の液位が上昇し、濃度調整タンクの液体現像剤がオーバーフローしたり、液体現像剤の濃度が調整不能になったりする可能性がある。
【０００７】
本発明はこのような事情に鑑みてなされたものであって、その目的は液体現像剤の滞留が発生しても、液体現像剤のオーバーフローおよび液体現像剤の濃度調整不能を防止する
ことのできる画像形成装置および画像形成方法を提供することである。
【課題を解決するための手段】
【０００８】
前述の課題を解決するために、本発明に係る画像形成装置および画像形成方法では、回収液の滞留が発生していない通常時は、液体現像剤濃度調整部で通常の濃度・液量制御によりトナー及びキャリアー液を含む液体現像剤のトナー濃度が予め定められた第１のトナー濃度に調整されるとともに液体現像剤の液量が制御される。その場合、通常の濃度・液量制御では、液体現像剤濃度調整部内の液体現像剤の液量は、予め定められた第１の液量の範囲に制御される。一方、現像剤担持体クリーニング部材でクリーニングされて回収された液体現像剤は回収液貯留部に貯留されるとともに、回収液貯留部に貯留された液体現像剤は回収経路を移動して（流れて）液体現像剤濃度調整部内に流入する。そして、回収液滞留検出部により回収経路での液体現像剤の滞留が検出されないときは、液体現像剤濃度調整部に貯留される液体現像剤の液量が第１の液量の範囲で制御される。また、回収液滞留検出部により回収経路での液体現像剤の滞留が検出されたときは、液体現像剤濃度調整部に貯留される液体現像剤の液量が第１の液量の範囲よりも狭い第２の液量の範囲で制御される。すなわち、液体現像剤の滞留が検出されたときは、液体現像剤濃度調整部内の液体現像剤の液量が制御される第２の液量の範囲に狭められる。これにより、液体現像剤濃度調整部内の液体現像剤の液量は狭められた第２の液量の範囲に基づいて制御されるので、この第２の液量の範囲を超えることがない。その後、滞留した液体現像剤が自重で落下して液体現像剤濃度調整部内に流入すると、液体現像剤濃度調整部内の液位が上昇する。しかし、液体現像剤濃度調整部に貯留される液体現像剤の液量が第２の液量の範囲に制御されるので、液体現像剤濃度調整部内の液位が上昇した状態で、前述の濃度・液量制御が行われて第１のトナー濃度より高い第２のトナー濃度の新たなトナーや新たなキャリアー液が供給されても、液体現像剤濃度調整部内の液体現像剤Ｔの液量はこの第２の液量の範囲を超えることがない。これにより、液体現像剤濃度調整部内の液体現像剤が濃度調整タンクからオーバーフローするのを防止することができる。したがって、液体現像剤濃度調整部内の液体現像剤の液量を一定の範囲内に保持することが可能となる。また、液体現像剤のオーバーフローが防止されることから、液体現像剤の濃度を容易にかつ確実に調整することが可能となる。
【０００９】
このようにして、高粘度の液体現像剤を用いても、液体現像剤濃度調整部内の液体現像剤の濃度を所定の濃度に保持するとともに液体現像剤濃度調整部内の液体現像剤の液量を一定の範囲内に保持した状態で、連続印字動作を行うことができる。これにより、連続印字動作を途中停止させることなく、高画質での連続印字を安定的に行うことが可能となる。
【図面の簡単な説明】
【００１０】
【図１】本発明にかかる画像形成装置の実施の形態の一例の一部を模式的にかつ部分的に示す図である。
【図２】図１に示す例の感光体、現像部、感光体スクイーズ部、現像剤回収補給部、および濃度・液量制御システムを模式的に示す部分拡大図である。
【図３】濃度・液量制御システムのブロック図である。
【図４】図３に示す濃度・液量制御システムのメイン制御部のブロック図である。
【図５】濃度および液量に応じた状態を示す図である。
【図６】回収液の滞留による回収液の流量変化を説明する図である。
【図７】画線率１０％の画像データを連続印字中に滞留状態が変化した場合の、液量上限値、液量下限値、および目標値と液量の変化の一例を示す図である。
【図８】液体現像剤の液量が液量目標値を超えた多い状態で回収液の滞留が発生したときに、濃度調整の停止を説明する図である。
【図９】図１に示す例の画像形成装置における回収液の滞留検出および濃度・液量制御のフローを示す図である。
【発明を実施するための形態】
【００１１】
以下、図面を用いて本発明を実施するための形態について説明する。
図１は、本発明にかかる画像形成装置の実施の形態の一例の一部を模式的にかつ部分的に示す図である。
【００１２】
図１に示すように、この例の画像形成装置１は、水平またはほぼ水平にタンデムに配置されたイエロー（Ｙ）、マゼンタ（Ｍ）、シアン（Ｃ）およびブラック（Ｋ）の潜像担持体である感光体２Ｙ,２Ｍ,２Ｃ,２Ｋを備えている。これらの感光体２Ｙ,２Ｍ,２Ｃ,２Ｋには、それぞれ、対応する色Ｙ,Ｍ,Ｃ,Ｋの静電潜像が形成されて担持される。各感光体
２Ｙ,２Ｍ,２Ｃ,２Ｋは、それぞれ、図示しない駆動部により駆動されて図１において矢
印方向（図１において時計回り）に回転する。ここで、各感光体２Ｙ,２Ｍ,２Ｃ,２Ｋに
おいて、２Ｙはイエローの感光体、２Ｍはマゼンタの感光体、２Ｃはシアンの感光体、２Ｋはブラックの感光体を表す。また、他の部材についても同じように、部材の符号にそれぞれ各色のＹ,Ｍ,Ｃ,Ｋを添えて各色の部材を表す。
【００１３】
各感光体２Ｙ,２Ｍ,２Ｃ,２Ｋの周囲には、それぞれ、帯電部３Ｙ,３Ｍ,３Ｃ,３Ｋが配設されている。更に、各帯電部３Ｙ,３Ｍ,３Ｃ,３Ｋから、それぞれ、各感光体２Ｙ,２Ｍ,２Ｃ,２Ｋの回転方向に向かって、順に、露光部４Ｙ,４Ｍ,４Ｃ,４Ｋ、現像部５Ｙ,５Ｍ,５Ｃ,５Ｋ、感光体スクイーズ部６Ｙ,６Ｍ,６Ｃ,６Ｋ、および一次転写部７Ｙ,７Ｍ,７
Ｃ,７Ｋが配設されている。なお、図示しないが、一次転写部７Ｙ,７Ｍ,７Ｃ,７Ｋから、それぞれ、各感光体２Ｙ,２Ｍ,２Ｃ,２Ｋの回転方向に向かって，順に、一次転写後に各
感光体２Ｙ,２Ｍ,２Ｃ,２Ｋを除電する除電部および各感光体２Ｙ,２Ｍ,２Ｃ,２Ｋをクリーニングする感光体クリーニング部が配設されている。
【００１４】
更に、各現像部５Ｙ,５Ｍ,５Ｃ,５Ｋに対応して現像剤回収補給部８Ｙ,８Ｍ,８Ｃ,８Ｋが配設されているとともに、濃度・液量制御システム９Ｙ,９Ｍ,９Ｃ,９Ｋが配設されて
いる。なお、図１には、濃度・液量制御システム９Ｙ,９Ｍ,９Ｃ,９Ｋの一部が記載され
ている。
【００１５】
更に、画像形成装置１は、無端状の中間転写ベルト１０を備えている。この中間転写ベルト１０は、各感光体２Ｙ,２Ｍ,２Ｃ,２Ｋの上方に配置されている。そして、中間転写
ベルト１０は各一次転写部７Ｙ,７Ｍ,７Ｃ,７Ｋでそれぞれ各一次転写ローラー７Ｙ1,７
Ｍ1,７Ｃ1,７Ｋ1で各感光体２Ｙ,２Ｍ,２Ｃ,２Ｋに離間当接可能に圧接される。
【００１６】
図示しないが、中間転写ベルト１０は、例えば樹脂等の可撓性の基材と、この基材の表面に形成されたゴム等の弾性層と、この弾性層の表面に形成された表層とを有する３層構造の比較的柔らかい弾性ベルトに形成されている。もちろん、これに限定されることはない。中間転写ベルト１０は図示しないモーターの駆動力が伝達される中間転写ベルト駆動ローラー１１および中間転写ベルトテンションローラー１２に巻き掛けられている。そして、中間転写ベルト１０はテンションを付与された状態で、矢印方向（図１において反時計回り）に回転するようにされている。なお、各色Ｙ、Ｍ、Ｃ、Ｋに対応する感光体等の部材の配置順は、図１に示す例に限定されることはなく、任意に設定することができる。
【００１７】
中間転写ベルト１０の中間転写ベルト駆動ローラー１１側には二次転写部１３が設けられている。二次転写部１３は、二次転写ローラー１４を有している。二次転写ローラー１４は矢印方向（図１において時計回り）に回転する。この二次転写ローラー１４は、中間転写ベルト駆動ローラー１１に巻き掛けられる中間転写ベルト１０に圧接されて二次転写ニップを形成する。また、中間転写ベルト１０の中間転写ベルトテンションローラー１２
側には、中間転写ベルトクリーニング部１５が設けられている。
【００１８】
そして、各感光体２Ｙ,２Ｍ,２Ｃ,２Ｋ、各帯電部３Ｙ,３Ｍ,３Ｃ,３Ｋ、各露光部４Ｙ,４Ｍ,４Ｃ,４Ｋ、各現像部５Ｙ,５Ｍ,５Ｃ,５Ｋ、各感光体スクイーズ部６Ｙ,６Ｍ,６Ｃ,６Ｋ、各一次転写部７Ｙ,７Ｍ,７Ｃ,７Ｋ、各感光体クリーニング部、および各除電部により、それぞれ、この例の画像形成装置１の各色の画像形成ユニットが構成される。
【００１９】
このように構成されたこの例の画像形成装置１においては、従来と同様に各画像形成ユニットで形成された各色のトナー像が各一次転写部７Ｙ,７Ｍ,７Ｃ,７Ｋで、中間転写ベ
ルト１０に転写される。このとき、この例の画像形成装置１では各色Ｙ,Ｍ,Ｃ,Ｋのトナ
ー像はこれらの順に中間転写ベルト１０に色重ねされて転写され、中間転写ベルト１０にフルカラーのトナー像が形成される。更に、中間転写ベルト１０に転写されたトナー像は二次転写部１３のニップにおいて、二次転写ローラー１４によって中間転写ベルト１０に圧接された転写紙等の転写材１６に転写される。そして、転写材に転写されたトナー像が図示しない定着部で定着されることで、転写材１６に画像が形成される。
【００２０】
次に、この例の各現像部５Ｙ,５Ｍ,５Ｃ,５Ｋ、各感光体スクイーズ部６Ｙ,６Ｍ,６Ｃ,６Ｋ、各現像剤回収補給部８Ｙ,８Ｍ,８Ｃ,８Ｋ、および各濃度・液量制御システム９Ｙ,９Ｍ,９Ｃ,９Ｋについてより詳細に説明する。
【００２１】
図２は、図１に示す例の感光体、現像部、感光体スクイーズ部、現像剤回収補給部、および濃度・液量制御システムを模式的に示す部分拡大図である。なお、各現像部５Ｙ,５
Ｍ,５Ｃ,５Ｋ、各感光体スクイーズ部６Ｙ,６Ｍ,６Ｃ,６Ｋ、各現像剤回収補給部８Ｙ,８Ｍ,８Ｃ,８Ｋ、および各濃度・液量制御システム９Ｙ,９Ｍ,９Ｃ,９Ｋは、いずれも各色
Ｙ,Ｍ,Ｃ,Ｋについて同じ構成を有している。そこで、各色に共通して説明するため、図
２には各色の符号Ｙ,Ｍ,Ｃ,Ｋを省略して示す。しかし、図１には、図２に示す構成要素
の一部に対応して符号に各色の符号Ｙ,Ｍ,Ｃ,Ｋを付して示す。
【００２２】
図２に示すように、現像部５は、液体現像剤貯留部１７、アニロックスローラー１８、中間ローラー１９、現像剤担持体である現像ローラー２０、中間ローラークリーニング部材である中間ローラークリーニングブレード２１、および現像剤担持体クリーニング部材である現像ローラークリーニングブレード２２を有している。液体現像剤貯留部１７は液体現像剤Ｔを貯留する。アニロックスローラー１８は、その一部が液体現像剤貯留部１７に貯留された液体現像剤Ｔ内に浸漬されていて、図２において時計回りに回転することでこの液体現像剤Ｔを汲み上げる。中間ローラー１９は図２において反時計回りに回転することで、アニロックスローラー１８から所定量の液体現像剤Ｔを供給される。現像ローラー２０は図２において反時計回りに回転することで、中間ローラー１９から液体現像剤Ｔを供給されて担持するとともに、担持した液体現像剤Ｔのトナーで感光体２の静電潜像を現像して感光体２にトナー像を形成する。中間ローラークリーニングブレード２１は現像ローラー２０とのニップを通過した中間ローラー１９をクリーニングして、この中間ローラー１９に残留する余剰分の液体現像剤Ｔを除去する。現像ローラークリーニングブレード２２は感光体２の静電潜像を現像した後の現像ローラー２０をクリーニングして、この現像ローラー２０に残留する余剰分の液体現像剤Ｔを除去する。
【００２３】
感光体スクイーズ部６は、第１の感光体スクイーズローラー２３、第２の感光体スクイーズローラー２４、第１のスクイーズローラークリーニングブレード２５、および第２のスクイーズローラークリーニングブレード２６を有している。第１および第２の感光体スクイーズローラー２３,２４はいずれも図２において反時計回りに回転して現像部５によ
る現像後の感光体２をスクイーズすることにより、この感光体２上の所定量のキャリアー液を除去する。第１のスクイーズローラークリーニングブレード２５は感光体２をスクイ
ーズした後の第１の感光体スクイーズローラー２３をクリーニングして、この第１の感光体スクイーズローラー２３上の液体現像剤（主に、キャリアー液）を除去する。第２のスクイーズローラークリーニングブレード２６は感光体２をスクイーズした後の第２の感光体スクイーズローラー２４をクリーニングして、この第２の感光体スクイーズローラー２４上の液体現像剤（主に、キャリアー液）を除去する。
【００２４】
現像剤回収補給部８は、液体現像剤濃度調整部である濃度調整タンク２７、液体現像剤供給ポンプ（Ｐ）２８、液体現像剤供給経路である液体現像剤供給配管２９、回収液貯留部３０、および回収液排出配管３１を有する。濃度調整タンク２７はコンクトナーＴ1と
キャリアー液Ｔ2とを混合して液体現像剤Ｔを作製するとともにこの液体現像剤Ｔのトナ
ー濃度を所定の第１のトナー濃度（例えば、２５重量％）に調整するためのタンクである。コンクトナーＴ1の濃度は、濃度調整タンク２７で調整される第１のトナー濃度より高
い第２のトナー濃度に定められている。液体現像剤供給ポンプ２８は濃度調整タンク２７内の所定濃度の液体現像剤Ｔを液体現像剤供給配管２９を通して現像部５の液体現像剤貯留部１７に送給する。
【００２５】
回収液貯留部３０は液体現像剤貯留部１７と１つの容器で構成される。その場合、液体現像剤貯留部１７と回収液貯留部３０とは仕切板３２で仕切られている。図示しないが、この仕切板３２の上端縁には切り欠きが設けられている。そして、現像剤貯留部１７内の液体現像剤Ｔの上面（液面）が仕切板３２の切り欠きの最下位置より高くなると、現像剤貯留部１７内の液体現像剤Ｔは仕切板３２の切り欠きを通して（乗り越えて）回収液貯留部３０にあふれ出る（流出する）ようになっている。その場合、印字動作中は、液体現像剤供給ポンプ２８により現像に必要な量以上の液体現像剤Ｔが液体現像剤貯留部１７へ送給されて、常時液体現像剤貯留部１７から回収液貯留部３０へ仕切板３２の切り欠きを通してあふれ出るようにしている。このように液体現像剤Ｔが液体現像剤貯留部１７から回収液貯留部３０へ常時あふれ出ることで、液体現像剤貯留部１７内の液体現像剤Ｔの液量を常に一定に保ち、液体現像剤Ｔがアニロックスローラー１８に安定して供給されるようにしている。
【００２６】
また、回収液貯留部３０には、中間ローラークリーニングブレード２１によって中間ローラー１９から除去された液体現像剤Ｔ、現像ローラークリーニングブレード２２によって現像ローラー２０から除去された液体現像剤Ｔ、および、第１および第２のスクイーズローラークリーニングブレード２５,２６によって、それぞれ、第１および第２の感光体
スクイーズローラー２３,２４から除去された液体現像剤Ｔ（主にキャリアー液）が回収
される。回収液貯留部３０に回収された液体現像剤Ｔは、回収液排出配管３１を移動して（流れて）濃度調整タンク２７内に回収（排出）される。したがって、回収液排出配管３１は回収経路を構成している。
【００２７】
濃度・液量制御システム９は、コンクトナー供給タンク３３、コンクトナー供給ポンプ（Ｐ）３４（本発明のトナー供給部に相当）、コンクトナー供給配管３５、キャリアー液供給タンク３６、キャリアー液供給ポンプ（Ｐ）３７（本発明のキャリアー液供給部に相当）、キャリアー液供給配管３８、濃度センサー３９（本発明の濃度測定部に相当）、液量センサー４０（本発明の液量測定部および液位測定部材に相当）、および流量センサー（Ｓ）４１（本発明の液量測定部に相当）を有している。
【００２８】
コンクトナー供給タンク３３は、濃度調整タンク２７に供給するコンクトナーＴ1を貯
留する。コンクトナー供給ポンプ３４は、コンクトナー供給配管３５を通してコンクトナー供給タンク３３内のコンクトナーＴ1を濃度調整タンク２７に送給する。キャリアー液
供給タンク３６は、濃度調整タンク２７に供給するキャリアー液Ｔ2を貯留する。キャリ
アー液供給ポンプ３７は、キャリアー液供給配管３８を通してキャリアー液供給タンク３
６内のキャリアー液Ｔ2を濃度調整タンク２７に送給する。
【００２９】
図３に示すように、濃度・液量制御システム９は、更に、メイン制御部４２、第１のメモリー４３、第１の演算器４４、第１のルックアップテーブル（ＬＵＴ）４５、第２のメモリー４６、第２の演算器４７，第２のルックアップテーブル（ＬＵＴ）４８、ランダムアクセスメモリ（ＲＡＭ）５１、コンクトナーモーター制御部５５、およびキャリアー液モーター制御部５６を有する。また、図４に示すように、メイン制御部４２は、第１の比較器５７、第２の比較器５８、滞留演算部５９、滞留判定部６０、選択器６１，演算部６２、およびタイミング生成部６３を有する。
【００３０】
メイン制御部４２は、濃度調整タンク２７内の液体現像剤Ｔのトナー濃度を測定するにあたって濃度センサー３９に濃度測定信号を出力する。すると、濃度センサー３９から測定された濃度測定信号が電圧として出力される。この濃度測定信号の電圧は第１のメモリー４３に格納される。そして、第１の演算器４４が第１のメモリー４３に格納された電圧を、電圧とトナー濃度との関係を表す第１のＬＵＴ４５に基づいて濃度Ｄに変換してメイン制御部４２に出力する。
【００３１】
また、メイン制御部４２は、濃度調整タンク２７内の液体現像剤Ｔの液量を測定するにあたって液量センサー４０に液量測定信号を出力する。すると、液量センサー４０から測定された液量測定信号が電圧として出力される。この液量測定信号の電圧は第２のメモリー４６に格納される。そして、第２の演算器４７が第２のメモリー４６に格納された電圧を、電圧と液量との関係を表す第２のＬＵＴ４８に基づいて液量Ｖに変換してメイン制御部４２に出力する。更に、流量センサー４１が回収液排出管３１内の回収液流量Ｒ0を測
定してメイン制御部４２に出力する。
【００３２】
更に、ＲＡＭ５１に格納されている濃度調整タンク２７内の液体現像剤Ｔの濃度目標値、濃度調整タンク２７内の液体現像剤Ｔの液量上限値および液量下限値がメイン制御部４２に出力される。その場合、ＲＡＭ５１に格納されている液量上限値は、回収液の滞留が発生していない状態の通常の液量制御に対して設定された基本液量上限値である。
【００３３】
メイン制御部４２において、演算器６２は濃度センサー３９で測定された濃度調整タンク２７内の液体現像剤Ｔの濃度ＤをＲＡＭ５１からの濃度目標値と比較する。また、演算器６２は液量センサー４０で測定された濃度調整タンク２７内の液体現像剤Ｔの液量ＶをＲＡＭ５１からの液量上限値と液量下限値との間に決められた液量目標値と比較する。そして、回収液の滞留が発生していない通常の濃度・液量制御時に、これらのトナー濃度および液量の各比較結果に基づいてコンクトナーＴ1の供給量およびキャリアー液Ｔ2の供給量を算出し、算出した各供給量をそれぞれコンクトナーモーター制御部５５およびキャリアー液モーター制御部５６に出力する。
【００３４】
更に、第１の比較器５７は、液量センサー４０からの液量ＶとＲＡＭ５１からの基本液量上限値と比較して、液量Ｖが基本液量上限値を超えたときは、コンクトナーモーター制御部５５およびキャリアー液モーター制御部５６にそれぞれ供給停止信号を出力して、コンクトナーＴ1およびキャリアー液Ｔ2の各供給を停止する。また、第２の比較器５８は、液量センサー４０からの液量ＶとＲＡＭ５１からの液量下限値と比較して、液量Ｖが液量下限値を下回ったときは画像形成ユニット等に印字停止信号を出力して印字動作を停止する。すなわち、これらの基本液量上限値と液量下限値とで第１の液量の範囲が決定される。
【００３５】
更に、滞留量演算部５９は、流量センサー４１で測定された回収液排出配管３１内の回収液の単位時間あたりの回収液流量Ｒ0 ml/sec の値を時間積分することで滞留している
回収液の液量（滞留量）を算出する。また、滞留判定部６０は、流量センサー４１からの回収液流量Ｒ0 ml/sec の値に基づいて滞留の有無を判定する。したがって、流量センサ
ー４１と滞留判定部６０とにより、本発明の回収液滞留検出部が構成される。更に、選択器６１は、滞留判定部６０からの滞留ありの判定信号に基づいて、ＲＡＭ５１に格納されている基本液量上限値から滞留量分（滞留分）を差し引いて基本液量上限値を補正液量上限値に補正し、この補正液量上限値を演算部６２に出力する。そして、演算部６２は、濃度Ｄ、液量Ｖ、液量下限値、および補正液量上限値に基づいて、回収液の滞留発生時でのコンクトナーＴ1の供給量およびキャリアー液の供給量を算出する。すなわち、これらの
補正液量上限値と液量下限値とで前述の第１の液量の範囲より狭い第２の液量の範囲が決定される。更に、前述の回収液の滞留なしの場合と同様に、算出した各供給量をそれぞれコンクトナーモーター制御部５５およびキャリアー液モーター制御部５６に出力する。
【００３６】
更に、演算器６２は、濃度センサー３９、液量センサー４０、および流量センサー４１のセンシングタイミング信号をタイミング生成部６３に出力するとともに、コンクトナー供給ポンプ３４およびキャリアー液供給ポンプ３７にポンプ駆動タイミング信号をタイミング生成部６３に出力する。タイミング生成部６３はこれらのタイミング信号が入力されると、濃度センサー３９、液量センサー４０、および流量センサー４１にセンシングの開始信号を出力するとともに、コンクトナーモーター制御部５５およびキャリアー液モーター制御部５６にそれぞれコンクトナーポンプモーターの駆動開始信号およびキャリアー液ポンプモーターの駆動開始信号を出力する。
【００３７】
そして、メイン制御部４２は、算出した各供給量をコンクトナーモーター制御部５５およびキャリアー液モーター制御部５６に出力する。コンクトナーモーター制御部５５およびキャリアー液モーター制御部５６は、それぞれ、コンクトナーポンプモーター（不図示）およびキャリアー液ポンプモーター（不図示）に、入力された各供給量に応じて周期およびデューティ比を変えたパルス信号を出力する。これにより、濃度調整タンク２７内の液体現像剤Ｔが所定の濃度目標範囲および所定の液量目標範囲（液量目標値）となるように、コンクトナー供給ポンプ３４およびキャリアー液供給ポンプ３７が運転制御される。こうして、濃度・液量制御システム９による濃度調整タンク２７内の液体現像剤Ｔの濃度・液量制御が行われる。
【００３８】
以下、この例の濃度・液量制御システム９による濃度・液量制御方法について説明する。
この例の濃度・液量制御方法では、濃度調整タンク２７内にキャリアー液と濃度３５％のコンクトナーを適正量補給することにより、濃度調整タンク２７内の濃度と液量とがそれぞれ一定範囲内に保持される。
【００３９】
例えば、トナー濃度が良好な画質を維持するために濃度目標値２５％を中心にその許容範囲±１％の濃度目標範囲に決定される。また、液量が濃度調整タンク２７からオーバーフローすることなく現像に必要十分な液量の液体現像剤を供給するために液量下限値（３００ml）と液量上限値（６００mｌ）との間の液量目標範囲の液量目標値に決定される。
そして、濃度センサー３９および液量センサー４０によって測定された濃度調整タンク２７内の現在の液体現像剤Ｔの濃度および液量と、これらの濃度目標範囲および液量目標範囲とを比較し、この比較の結果コンクトナーＴ1およびキャリアー液Ｔ2の各供給量が決定される。
【００４０】
ただし、液量が液量目標範囲より大きい場合、液量は液量目標範囲に合わせることができない。また、コンクトナーＴ1の濃度が３５％と濃度目標値（２５％）との差が小さい
と、トナー濃度が濃度目標範囲より高い場合、トナー濃度と液体現像剤の液量とをともに濃度目標範囲および液量目標範囲に合わせることができない場合がある。この場合には、
液量が液量上限値（６００ml ）を超えない範囲で、トナー濃度を濃度目標範囲に合わせ
、かつ液量と液量目標値との差が最も小さくなるように、コンクトナーＴ1およびキャリ
アー液Ｔ2の各供給量が決定される。更に、現在の液量が液量目標範囲より大きく、トナ
ー濃度を濃度目標範囲に合わせようとすると液量が液量上限値を超えてしまう場合には、液量が液量上限値（６００ml ）を超えずかつトナー濃度と濃度目標範囲との差が小さく
なるように、コンクトナーＴ1およびキャリアー液Ｔ2の各供給量が決定される。以上のようにして、この例の濃度・液量制御システム９による濃度・液量制御方法では、濃度調整タンク２７内の液体現像剤Ｔの濃度Ｄと液量Ｖとが一定範囲に保つ制御が行われる。
【００４１】
しかし、印字条件や画像データによっては、トナー濃度や液量がそれぞれ濃度目標範囲や液量目標範囲から出てしまうことがあり得る。これにより、画質要求を満たさない印字や濃度調整タンク２７のオーバーフローが発生する可能性がある。そこで、トナー濃度と液量の値とによって、濃度調整や印字の可否が切り替えられることにより、画質要求を満たさない印字や濃度調整タンク２７のオーバーフローが防止される。その場合、濃度調整や印字の可否の切り替えは、図５に示すように濃度・液量の値に応じて次の４つの状態(A),(B),(C),(D)に分類され、対応する分類に応じて表１に示すように動作が切り替えられ
る。すなわち、
【００４２】
【表１】
2012113022.tif 000003
【００４３】
(A) トナー濃度が濃度目標範囲内にあるとともに液量が液量目標範囲内にある状態
この状態では、表１に示すように濃度・液量制御システム９による通常の濃度・液量制御が継続して行われる。
(B) 液量が液量下限値を下回った状態、およびトナー濃度が濃度目標範囲外にあるとともに液量が上限値まで達していない状態
この状態では、表１に示すように印字を停止した状態で、濃度・液量制御のみが継続して行われる。そして、トナー濃度が濃度目標範囲内に戻りかつ液量が液量目標範囲内に戻ったとき、印字が再開される。
(C) トナー濃度は濃度目標範囲内にあるが、液量が液量上限値を超えた状態
この状態では、表１に示すように濃度調整が中止（停止）されてトナー濃度が濃度目標範囲内にある限り、印字のみが継続して行われる。
(D) トナー濃度が濃度目標範囲から外れ、液量が液量上限値を超えた状態
この状態では、表１に示すように濃度調整タンク２７内の液体現像剤のトナー濃度が濃度目標範囲内に戻すことが不可能であるので、印字および濃度調整を含めた全体の動作が中止（停止）される。なお、この状態ではエラー通知がされる。
【００４４】
ところで、連続印字動作中において、回収液が回収液排出配管３１内に滞留しなくこの回収液排出配管３１内を滑らかに移動している（流れている）場合、回収液排出配管３１内の回収液の回収液流量Ｒ0 ml/sec は印字データによって変動するものの、予め設定さ
れた流量上限値と流量下限値との間の一定の範囲内の値を取る。一方、回収液が回収液排
出配管３１内に滞留した場合、および回収液の滞留が解消中である場合には、回収液排出配管３１内の回収液流量Ｒ0 ml/sec は大きく変動して前述の一定の範囲外の値を取る。
【００４５】
そこで、この例の画像形成装置１では、流量センサー４１によって回収液排出配管３１内の回収液の回収液流量Ｒ0 ml/sec が測定され、測定された回収液流量Ｒ0 ml/sec が前述の一定の範囲と比較され、比較の結果に基づいて回収液の滞留の有無を検出（判断）する。すなわち、回収液流量Ｒ0 ml/sec が一定の範囲内にある場合は、回収液の滞留なし
を検出（判断）する。また、回収液流量Ｒ0 ml/sec が前述の流量下限値以下である場合
は、回収液の滞留ありを検出（判断）する。更に、回収液流量Ｒ0 ml/sec が前述の流量
上限値以上である場合は、回収液の滞留解消中を検出（判断）する。
【００４６】
この滞留発生の有無の判断について具体的な一実施例を説明する。
図２に示すように、濃度調整タンク２７から現像部５の液体現像剤貯留部１７へ送給される液体現像剤Ｔの送給液量Ｓ0 ml/sec は、アニロックスローラー１８によって汲み上
げられる液体現像剤Ｔの汲み上げ液量Ｓaxr ml/sec と、液体現像剤貯留部１７から回収
液貯留部３０へあふれ出る液体現像剤Ｔのあふれ液量Ｒof ml/sec とに分かれる。したがって、アニロックスローラー１８へ現像に必要な一定量の液体現像剤Ｔを安定して供給するためには、液体現像剤貯留部１７への送給液量Ｓ0 ml/sec は、アニロックスローラー
１８の汲み上げ液量Ｓaxr ml/sec の最適値に比較して大きく設定する必要がある。
【００４７】
そこで、この実施例では、アニロックスローラー１８の汲み上げ液量Ｓaxr ml/sec を
０.６ml/sec、液体現像剤貯留部１７への送給液量Ｓ0を２.０ml/sec、回収液貯留部３０
へのあふれ液量Ｒof ml/sec を１.４ml/sec となるようにしている。また、この実施例では、印字動作中に、中間ローラー１９、現像ローラー２０、感光体２から回収される単位時間あたりの液体現像剤Ｔの回収液量ＲCL ml/sec は印字する画像データにより異なるが、０ml/sec より大きく、０.６ml/sec 未満の値を取る。そして、図６に示すように、回
収液排出配管３１内に回収液の滞留がなく、回収液が回収液貯留部３０から濃度調整タンク２７に連続的に滑らかに流れている場合、その回収液流量Ｒ0 ml/sec は、あふれ液量
Ｒof ml/sec と回収液量ＲCL ml/sec との和（Ｒ0＝Ｒof＋ＲCL）に一致する。したがっ
て、回収液流量Ｒ0 ml/sec は、図６に(i)で示す１.４ml/sec より大きく、２.０ml/sec 未満の値（１.４ml/sec 〜２.０ml/sec）を取る。
【００４８】
回収液排出配管３１内に回収液の滞留が発生すると、回収液の回収液流量Ｒ0 ml/sec 
が大きく変化する。すなわち、回収液量Ｒ0 ml/sec は、図６に(ii)で示す０ml/sec、あ
るいは（Ｒof＋ＲCL）ml/sec に比較して小さな値を取る。また、回収液の滞留が比較的
速い速度で解消中のときは、滞留していた回収液が濃度調整タンク２７内に短時間で流れ込むため、回収液流量Ｒ0 ml/sec は、図６に(iii)で示すように大きく増加する。そして、滞留していた回収液が全て濃度調整タンク２７内に流れ終わると、排出液量Ｒ0 ml/sec
は、図６に(i′)で示すように再び(i)と同様に１.４ml/sec 〜２.０ml/sec の範囲の値
を取る。
【００４９】
そこで、この例の画像形成装置１は、回収液の滞留の有無により、回収液の排出状態を次の３つの状態に分けるとともに、回収液流量Ｒ0 ml/sec の値により、回収液の排出状
態がこれらのいずれの排出状態であるかを判定している。すなわち、
(i)      滞留なし        （１.４ml/sec ＜ Ｒ0 ml/sec ＜ ２.０ml/sec ）
(ii)     滞留あり        （Ｒ0 ml/sec ≦ １.４ml/sec ）
(iii)    滞留解消中      （Ｒ0 ml/sec ≧ ２.０ml/sec ）。
【００５０】
したがって、この実施例では、流量下限値が１.４ml/sec とし、また基本流量上限値が２.０ml/sec とすることができる。
【００５１】
更に、この例の画像形成装置１では、この回収液の滞留が発生したとき（つまり、(ii)の状態のとき）にも、濃度調整タンク２７内の液体現像剤Ｔの濃度・液量制御が行われる。その場合、滞留発生時の濃度・液量制御が前述の滞留発生なしのときの濃度・液量制御と同じ制御が行われると、滞留解消時に大量の滞留分回収液が短時間で濃度調整タンク２７内に流入することになる。このため、濃度調整タンク２７内の液体現像剤Ｔがオーバーフローを引き起こす可能性がある。
【００５２】
そこで、滞留発生時の濃度・液量制御では、滞留している回収液の液量が回収液流量Ｒ0 ml/sec を用いて計算により求められる。そして、通常の液量制御における基本液量上
限値が、求められた液量分（回収液の滞留分）だけ下げられた補正液量上限値とされる。したがって、濃度調整タンク２７内の液量制御が液量下限値と補正液量上限値との間の狭められた一定の範囲内で行われる。
【００５３】
滞留した回収液の液量の計算は、次のようにして行われる。すなわち、回収液貯留部３０内に回収される最大回収液量ＶR ml は、液体現像剤Ｔの現像剤貯留部１７への供給量
Ｓ0 ml/sec と回収液排出配管３１を流れる回収液流量Ｒ0 ml/sec との差を次の式（１）
ＶR ＝ ∫（Ｓ0 − Ｒ0）ｄｔ                                  （１）
により時間積分して求めることができる。回収液貯留部３０内に回収される回収液量は、印字データにより変動するので正確に求めることはできないが、回収液の最大値を想定して計算することにより、濃度調整タンク２７のオーバーフローを防ぐことができる。
【００５４】
また、この例の濃度・液量制御では、回収液の滞留解消中（つまり、(iii)の状態のと
き）では、濃度調整タンク２７に回収された回収分だけ、補正液量上限値を基本液量上限値の方へ戻した（上げた）新たな補正液量上限値で制御が行われる。回収された滞留分を含めた液量ＶR ml/sec は滞留発生時と同様に、回収液流量Ｒ0 ml/sec と供給量Ｓ0 ml/sec との差を次の式（２）
ＶR ＝ ∫（Ｓ0 − Ｒ0）ｄｔ                                  （２）
により時間積分して求めることができる。式（１）および（２）を合わせて考えると、状態(ii)および(iii)のいずれの状態でも、滞留発生からの積分∫（Ｓ0 − Ｒ0）ｄｔによ
って現在の回収液量が算出できる。したがって、濃度・液量制御における基本液量上限値は、
（基本液量上限値）−∫（Ｓ0 − Ｒ0）ｄｔ                      （３）
で与えられる補正液量上限値に変更される。排出状態が(i)の状態に戻るか、あるいは∫
（Ｓ0 − Ｒ0）ｄｔ＝０になったとき、補正液量上限値は滞留なしのときの基本液量上限値に戻される。
【００５５】
このように、回収液の滞留発生時には液量上限値を下げることにより、液量上限値と液量下限値との中間点に設定される液量目標値も滞留分に応じた分だけ下がることになる。すなわち、前述の３つの状態(i)、(ii)、および(iii)における液量下限値、液量上限値、および制御時の目標値は、表２に示すようになる。
【００５６】
【表２】
2012113022.tif 000004
【００５７】
図７は画線率１０％の画像データを連続印字中に滞留状態が変化した場合の、液量上限値、液量下限値、および目標値と液量の変化の一例を示す図である。
図７に示すように、回収液排出配管３１に滞留が発生していない状態では、通常の濃度・液量制御が行われて、キャリアー液およびコンクトナーとが、印字に消費された分だけ補給される。これにより、濃度調整タンク２７内の液体現像剤Ｔの液量Ｖはほぼ目標値に保たれる。
【００５８】
滞留が発生すると、濃度調整タンク２７内の液量の減少量が増加する。この状態で、滞留が発生していない状態での通常の濃度・液量制御が行われると、前述のようにキャリアー液およびコンクトナーとが補給されるため、濃度調整タンク２７内には目標値の液量が保たれる。その後に、滞留が解消状態となって滞留分の回収液が濃度調整タンク２７内へ短時間に流入すると、濃度調整タンク２７内の液量は大幅に増加する。このとき、濃度調整タンク２７内の液量が液量目標値に保たれているので、濃度調整タンク２７内の液量は滞留分の回収液が流入することで液量上限値を超えたり、オーバーフローを引き起こしたりしてしまう。これに対して、この例の濃度・液量制御では、図７に点線で示すように液量上限値が下げられることで液量目標値も下げられる。これにより、滞留発生中は濃度調整タンク２７の液量は下げられた液量目標値に基づいて制御されて回収液の滞留分通常より少ない状態に保たれる。したがって、滞留解消中および滞留解消後には濃度調整タンク２７内の液体現像剤の液量は液量上限値を超えることがない。
【００５９】
仮に、図８に示すように濃度調整タンク２７内の液体現像剤Ｔの液量が液量目標値を超えた多い状態で回収液の滞留が発生したときは、濃度調整タンク２７内の液体現像剤Ｔの液量が図８に点線で示す滞留分下げられた液量上限値に達した段階で、キャリアー液およびコンクトナーの各補給が停止される。したがって、濃度調整タンク２７内の液体現像剤Ｔの液量は、下げられた液量上限値を超えることがなく、オーバーフローが防止される。
【００６０】
図９は、この例の画像形成装置における回収液の滞留検出および濃度・液量制御のフローを示す図である。
図９に示すように、まずステップＳ１で濃度調整タンク２７内の液体現像剤Ｔのトナー濃度が濃度センサー３９で測定されるとともに、ステップＳ２で濃度調整タンク２７内の液体現像剤Ｔの液量が液量センサー４０で測定される。更に、ステップＳ３で回収液排出配管３１を流れる回収液の流量Ｒ0 ml/sec が流量センサー４１により測定されて取得さ
れる。次いで、ステップＳ４で回収液の流量Ｒ0 ml/sec が予め設定された流量下限値よ
り大きくかつ基本流量上限値より小さいか否かが判断される。この場合、流量下限値は、例えば前述の実施例の(ii)で示される滞留ありの状態を判定する１.４ml/sec に設定することができる。また、基本流量上限値は、例えば前述の実施例の(iii)で示される滞留解
消中の状態を判定する２.０ml/sec に設定することができる。
【００６１】
回収液の回収液流量Ｒ0 ml/sec が流量下限値より大きくかつ基本流量上限値より小さ
いと判断されると、ステップＳ５で濃度調整タンク２７内の液体現像剤Ｔの液量が予め設
定された液量下限値および基本液量上限値との大小が比較判断される。この液量が液量下限値以上でかつ基本液量上限値以下であると判断されると、ステップＳ６で濃度調整タンク２７内の液体現像剤Ｔのトナー濃度が予め設定された濃度下限値以上でかつ基本濃度上限値以下であるか否かが判断される。このトナー濃度が濃度下限値以上でかつ基本濃度上限値以下であると判断されると、ステップＳ７でメイン制御部４２が測定された濃度および液量に基づいてコンクトナー供給量を算出するとともに、ステップＳ８でコンクトナーモーター制御部５５が算出されたコンクトナー供給量に基づいてパルス信号を出力してコンクトナーポンプモーター（不図示）を駆動する。また、ステップＳ９でメイン制御部４２が測定されたトナー濃度および液量に基づいてキャリアー液供給量を算出するとともに、ステップＳ１０でキャリアー液モーター制御部５６が算出されたキャリアー液供給量に基づいてパルス信号を出力してキャリアー液ポンプモーター（不図示）を駆動する。これにより、コンクトナー供給ポンプ３４およびキャリアー液供給ポンプ３７が運転されて濃度・液量制御システム９による濃度調整および液量制御が行われ、濃度調整タンク２７内の液体現像剤Ｔが所定のトナー濃度に調整されるとともに、基本液量上限値と液量下限値とで決まる所定範囲内の目標値の液量に制御される。その後、液体現像剤Ｔのトナー濃度が所定の濃度に調整されるとともに液体現像剤Ｔの液量が所定範囲の液量に制御されると、コンクトナー供給ポンプ３４およびキャリアー液供給ポンプ３７が停止され、濃度・液量制御システム９による濃度調整および液量制御が終了する。
【００６２】
ステップＳ６で液体現像剤Ｔのトナー濃度が濃度下限値以上でかつ基本濃度上限値以下でないと判断されると、ステップＳ１１でメイン制御部４２は現像部５を停止し、印字が停止される。その後、ステップ７に移行し、ステップ７以降の処理が行われる。
【００６３】
ステップＳ５で液体現像剤Ｔの液量が液量下限値より小さいと判断されると、ステップＳ１２でメイン制御部４２は現像部５を停止し、印字が停止される。その後、ステップ７に移行し、ステップ７以降の処理が行われる。また、ステップＳ５で液体現像剤Ｔの液量が基本液量上限値より大きいと判断されると、ステップＳ１３で濃度調整タンク２７内の液体現像剤Ｔのトナー濃度が濃度下限値以上でかつ基本濃度上限値以下であるか否かが判断される。このトナー濃度が濃度下限値以上でかつ基本濃度上限値以下であると判断されると、ステップＳ１４でコンクトナーポンプモーターが停止されるとともに、ステップＳ１５でキャリアー液ポンプモーターが停止される。すなわち、メイン制御部４２はコンクトナーモーター制御部５５にコンクトナー供給ポンプ３４の停止信号を出力するとともにキャリアー液モーター制御部５６にキャリアー液供給ポンプ３７の停止信号出力する。これにより、コンクトナーモーター制御部５５はパルス信号を出力してコンクトナーポンプモーターを停止するとともに、キャリアー液モーター制御部５６はパルス信号を出力してキャリアー液ポンプモーターを停止する。したがって、コンクトナー供給ポンプ３４によるコンクトナーの供給およびキャリアー液供給ポンプ３７によるキャリアー液の供給が停止される。こうして、濃度・液量制御が終了する。
【００６４】
ステップＳ１３で濃度調整タンク２７内の液体現像剤Ｔのトナー濃度が濃度下限値以上でかつ基本濃度上限値以下でないと判断されると、ステップＳ１６で印字が停止される。また、ステップＳ１７およびＳ１８で、ステップＳ１４およびＳ１５の処理と同様にコンクトナーポンプモーターおよびキャリアー液ポンプモーターが停止される。そして、ステップＳ１９でエラーがメイン制御部４２に通知される。
【００６５】
ステップＳ４で回収液の流量Ｒ0 ml/sec が流量下限値より大きくなくかつ基本流量上
限値より小さくないと判断されると、回収液の滞留が発生したと判断されて、ステップＳ２０で回収液の滞留量が算出される。そして、ステップＳ２１で濃度・液量制御における液体上限値が基本液量上限値から、算出された滞留量（滞留分）を差し引いた補正液量上限値に下げられる。その後、ステップＳ５に移行し、ステップＳ５以降の各処理が行われ
る。
【００６６】
この例の画像形成装置１によれば、流量センサー４１によって測定された回収液流量Ｒ0 ml/sec が予め設定された流量下限値と基本流量上限値との間の一定の範囲内にあると
きは、回収液が回収液排出配管３１を連続して滑らかに流れていることになるので、回収液排出配管３１に回収液の滞留は発生していないと判断する。したがって、回収液の滞留なしと判断したときは、濃度センサー３９で測定された濃度調整タンク２７内の液体現像剤Ｔのトナー濃度および液量センサー４０で測定された液量調整タンク２７内の液体現像剤Ｔの液量に応じて、濃度調整タンク２７内の液体現像剤Ｔのトナー濃度がほぼ濃度目標値に調整されるとともに液体現像剤濃度調整部の液体現像剤の液量が液量下限値と基本液量上限値との間の一定の範囲内に制御される。これらの液体現像剤の濃度調整および液体現像剤の液量制御により、コンクトナー供給タンク３３のコンクトナーＴ1、およびキャ
リアー液供給タンク３６のキャリアー液Ｔ2が濃度調整タンク２７に供給される。また、
回収液流量Ｒ0 ml/sec が前述の流量下限値以下のときは、回収液排出配管３１を流れる
回収液の流れが滞ることになるので、回収液排出配管３１に回収液の滞留が発生していると判断する。したがって、回収液の滞留ありと判断したときは、濃度調整タンク２７内の液体現像剤Ｔの液量上限値を基本液量上限値から回収液の滞留分だけ下げた補正液量上限値とする。これにより、濃度調整タンク２７内の液体現像剤Ｔの液量は補正液量上限値に基づいて制御されるので、この補正液量上限値を超えることがない。その後、滞留した回収液が自重で落下して濃度調整タンク２７内に流入すると、濃度調整タンク２７内の液位が上昇する。しかし、濃度調整タンク２７の液量上限値が基本液量上限値から補正液量上限値に下げられているので、濃度調整タンク２７内の液位が上昇した状態で、前述の濃度・液量制御が行われて新たなコンクトナーＴ1や新たなキャリアー液Ｔ2が供給されても、濃度調整タンク２７内の液体現像剤Ｔの液量はこの補正液量上限値を超えることがない。これにより、濃度調整タンク２７内の液体現像剤Ｔが濃度調整タンク２７からオーバーフローするのを防止することができる。したがって、濃度調整タンク２７内の液体現像剤Ｔの液量を一定の範囲内に保持することが可能となる。
【００６７】
また、液体現像剤Ｔのオーバーフローが防止されることから、コンクトナーＴ1の供給
自由度およびキャリアー液Ｔ2の供給自由度が高くなるので、液体現像剤Ｔのトナー濃度
を容易にかつ確実に調整することが可能となる。
【００６８】
したがって、高粘度の液体現像剤を用いても、濃度調整タンク２７内の液体現像剤Ｔのトナー濃度を所定の濃度に保持するとともにトナー濃度調整タンク２７内の液体現像剤Ｔの液量を所定の範囲内に保持した状態で、連続印字動作を行うことができる。これにより、連続印字動作を途中停止させることなく、高画質での連続印字を安定的に行うことが可能となる。
【００６９】
なお、本発明の画像形成装置および画像形成方法は、前述の実施の形態の例に限定されることはない。例えば、前述の実施の形態の例では、回収液流量Ｒ0 ml/sec は流量セン
サー４１で測定しているが、計算によって求めることもできる。その場合、回収液流量Ｒ0 ml/sec は、濃度調整タンク２７の液量センサー４０で測定された液体現像剤Ｔの液量
、液体現像剤Ｔの送給液量Ｓ0 ml/sec 、液体現像剤Ｔの汲み上げ液量Ｓaxr ml/sec 、液体現像剤Ｔのあふれ液量Ｒof ml/sec 、液体現像剤Ｔの回収液量ＲCL ml/sec 等に基づいて計算される。要は、本発明は特許請求の範囲に記載されている事項の範囲内で種々の設計変更が可能である。
【符号の説明】
【００７０】
１…画像形成装置、２,２Ｙ,２Ｍ,２Ｃ,２Ｋ…感光体、３Ｙ,３Ｍ,３Ｃ,３Ｋ…帯電部、
４Ｙ,４Ｍ,４Ｃ,４Ｋ…露光部、５,５Ｙ,５Ｍ,５Ｃ,５Ｋ…現像部、６,６Ｙ,６Ｍ,６Ｃ,
６Ｋ…感光体スクイーズ部、８,８Ｙ,８Ｍ,８Ｃ,８Ｋ…現像剤回収補給部、９,９Ｙ,９Ｍ,９Ｃ,９Ｋ…濃度・液量制御システム、１０…中間転写ベルト、１３は二次転写部、１７は液体現像剤貯留部、１８…アニロックスローラー、１９…中間ローラー、２０…現像ローラー、２１…中間ローラークリーニングブレード、２２…現像ローラークリーニングブレード、２３…第１の感光体スクイーズローラー、２４…第２の感光体スクイーズローラー、２５…第１のスクイーズローラークリーニングブレード、２６…第２のスクイーズローラークリーニングブレード、２７…濃度調整タンク、２８…液体現像剤供給ポンプ（Ｐ）、２９…液体現像剤供給配管、３０…回収液貯留部、３１…回収液排出配管、３２…仕切板、３３…コンクトナー供給タンク、３４…コンクトナー供給ポンプ（Ｐ）、３５…コンクトナー供給配管、３６…キャリアー液供給タンク、３７…キャリアー液供給ポンプ（Ｐ）、３８…キャリアー液供給配管、３９…濃度センサー、４０…液量センサー、４１…液量センサー、４２…メイン制御部、４４…第１の演算器、４７…第２の演算器、５５…コンクトナーモーター制御部、５６…キャリアー液モーター制御部、５７…第１の比較器、５８…第２の比較器、５９…滞留演算部、６０…滞留判定部、６１…選択器、６２…演算部、６３…タイミング生成部、Ｔ…液体現像剤、Ｔ1…コンクトナー、Ｔ2…キャリアー液
【図１】
2012113022.tif 000005
【図２】
2012113022.tif 000006
【図３】
2012113022.tif 000007
【図４】
2012113022.tif 000008
【図５】
2012113022.tif 000009
【図６】
2012113022.tif 000010
【図７】
2012113022.tif 000011
【図８】
2012113022.tif 000012
【図９】
2012113022.tif 000013